(57)【要約】【課題】  ランプユニットのリフレクタなどの破損によって生じた破砕片が、ランプユニットを収容している筐体の通風口から外部へ飛び出て周囲の人に危険を及ぼすという事態を防止する。【解決手段】  ランプユニット２の第２通風口２５から筐体１の第１通風口１２に至る破砕片飛散経路に、破砕片を衝突させる障壁機構５を介在させる。障壁機構５は、間隔を隔てて対面しかつ沿面方向に位置ずれした１段目及び２段目の２枚の衝立板６，７の組合せでなる。ランプユニット２を覆うカバー体３の第３通風口３１に、遮蔽板４１や補助板４２を付設することによって破砕片の飛出し方向を規制してもよい。【選択図】        図２
2007279331.tif 000002
【特許請求の範囲】
【請求項１】
内外空間を連通させる第１通風口を備えた筐体に収容されているランプユニットのハウジングに、そのハウジングの内外空間を連通させる第２通風口が備わり、上記ランプユニットの構成要素であるリフレクタなどの破損によって飛び散る破砕片についての上記第２通風口から上記第１通風口に至る破砕片飛散経路に、その破砕片を衝突させる障壁部材が介在されているプロジェクタにおいて、
上記障壁部材が、間隔を隔てて対面しかつ沿面方向に位置ずれした１段目及び２段目の２枚の衝立板の組合せでなる障壁機構によって構成されていて、上記１段目衝立板に、上記第２通風口に対峙してその第２通風口から飛び出た上記破砕片を跳ね返して失速させる１段目受面が備わり、上記２段目衝立板の表面が、上記１段目受面によって跳ね返された破砕片を受け止めて失速させる２段目受面として形成されていると共に、その２段目衝立板に、上記１段目衝立板との対面方向に突き出た遮蔽片が備わり、
上記ランプユニットは、そのハウジングの上記第２通風口に連通する第３通風口を備えたカバー体によって覆われていると共に、そのカバー体に、上記第３通風口の孔縁部を起点として上記１段目受面に近付く方向に延び出ることによって、そのカバー体と上記２段目衝立板との間で２枚の上記衝立板の位置ずれ方向に開放している隙間空間を遮蔽する遮蔽板とこの遮蔽板に追加されて２枚の上記衝立板の位置ずれ方向に直交する方向に開放している隙間空間を遮蔽する補助板とを有し、
２枚の上記衝立板の位置ずれ方向が、上記筐体の内部空間のうちの上記ハウジングの外部空間に相当している箇所での冷却風の向きに沿っていることを特徴とするプロジェクタ。
【請求項２】
内外空間を連通させる第１通風口を備えた筐体に収容されているランプユニットのハウジングに、そのハウジングの内外空間を連通させる第２通風口が備わり、上記ランプユニットの構成要素であるリフレクタなどの破損によって飛び散る破砕片についての上記第２通風口から上記第１通風口に至る破砕片飛散経路に、その破砕片を衝突させる障壁部材が介在されているプロジェクタにおいて、
上記障壁部材が、間隔を隔てて対面しかつ沿面方向に位置ずれした１段目及び２段目の２枚の衝立板の組合せでなる障壁機構によって構成されていて、上記１段目衝立板に、上記第２通風口に対峙してその第２通風口から飛び出た上記破砕片を跳ね返して失速させる１段目受面が備わり、上記２段目衝立板の表面が、上記１段目受面によって跳ね返された破砕片を受け止めて失速させる２段目受面として形成されていることを特徴とするプロジェクタ。
【請求項３】
上記２段目衝立板に、上記１段目衝立板との対面方向に突き出た遮蔽片が備わっている請求項２に記載したプロジェクタ。
【請求項４】
上記ランプユニットは、そのハウジングの上記第２通風口に連通する第３通風口を備えたカバー体によって覆われていると共に、そのカバー体に、上記第３通風口の孔縁部を起点として上記１段目受面に近付く方向に延び出ることによって、そのカバー体と上記２段目衝立板との間で２枚の上記衝立板の位置ずれ方向に開放している隙間空間を遮蔽する遮蔽板が設けられている請求項３に記載したプロジェクタ。
【請求項５】
上記遮蔽板に、上記第３通風口の孔縁部を起点として上記１段目受面に近付く方向に延び出ることによって、２枚の上記衝立板の位置ずれ方向に直交する方向に開放している隙間空間を遮蔽する補助板が追加して連設されている請求項４に記載したプロジェクタ。
【発明の詳細な説明】
【技術分野】
【０００１】
本発明は、プロジェクタ、特に、高熱を発生するランプユニットが筐体に収容されていて、そのランプユニットのハウジングがその内外空間を連通させる通風口を備えていると共に、上記筐体にもその内外空間を連通させる通風口が備わっているプロジェクタに関する。
【背景技術】
【０００２】
この種のプロジェクタは、筐体やランプユニットの上記通風口は、送風ファンの作用によって発生させた冷却風を筐体やハンジングの内部空間から外部空間に通過させるために設けられている。そして、プロジェクタでは、ランプユニットが発生する高熱による悪影響がランプユニット自体やその他の部品、各種機構などに及ぶことを防ぐために冷却風の風量が高値に定められ、それに伴って筐体やランプユニットの上記通風口には広い開口面積を備えていることが要求されている。
【０００３】
一方、プロジェクタでは、そのランプユニットが、ガスを封入した光源としてのバルブや、バルブの光を反射させてその指向性を高めるリフレクタ（反射鏡）などを備えていて、それらが何らかの原因で破損したような場合には、周囲に飛び散ったリフレクタなどの破砕片のうち、比較的大きな破砕片については上記筐体の通風口に一般的に配備されるメッシュやルーバなどによって外部に飛び出ることが防止されるけれども、それらによって遮蔽され得ない大きさの破砕片は筐体の通風口を通過してその筐体の外部に飛び出てしまうこともあり、そのような事態が起こると、プロジェクタの近くにいる人に危険が及び、場合によってはそれらの人が怪我をするといった事態も想定される。
【０００４】
そこで、従来より、ランプユニットの破損によって発生した破砕片の処理についての提案が種々なされている（たとえば、特許文献１、特許文献２、特許文献３参照）。
【０００５】
これらの提案のうち、特許文献１に記載されているものでは、ランプホルダのフロント部の周壁に設けられている開口の近傍に、その開口の内外方向に沿って延びるリブを追加することによって内部の熱気の逃がし通路を確保した上で、そのリブに破砕片（破裂片）を衝突させて破砕片が外部に飛び出さないようにしている。しかし、このものは、開口に求められている熱気の逃がし通路としての本来の機能を損なわないようにリブを追加する必要があるために、小さな破砕片はリブの隙間を通過してランプホルダの外側へ破砕片が飛び出てしまうということが考えられる。このものでは、ランプホルダの外側へ破砕片が飛び出さないようにすることだけが考慮されているに過ぎず、リブの隙間を通過してランプホルダの外側へ飛び出た破砕片が、そのランプホルダを収容している筐体の外部へさらに飛び出てしまうことを防ぐことについては何も考慮されていない。
【０００６】
特許文献２に記載されているものは、ランプユニットを収容しているランプボックスにＶ字形の障壁を配備し、ランプの破裂によって生じるガラス片をそのＶ字形の障壁の内面に衝突させてその障壁による取囲み部分に落下させるようにしている。しかし、このものは、Ｖ字形の障壁が、ランプユニットとランプボックスとの相互間隙間によって形成されている通風路の大部分を塞いでいるので、冷却のための排気風の流通が障壁により妨げられて冷却作用が低下してしまうおそれがある。
【０００７】
特許文献３に記載されているものは、ランプユニットのハウジングに相当しているケーシングの通気口に、風圧動作式の弁作用を発揮する遮蔽部材を設置しておき、通常時にはその遮蔽部材が通気口を開放しており、ランプなどが破裂したときには、その破裂に伴う風圧の増大に遮蔽部材が応動して通気口を遮蔽するというものである。しかし、このものは、破裂に伴う風圧の増大に遮蔽部材を応動させるための機構部品として、ばねや支持棒といった小形部品を数点追加する必要があり、そのことが組立工程の煩雑化の原因になるおそれがある。また、遮蔽部材が風圧の増大に応動したとしても、破砕片が通気口を通過して飛び出ることを完全に防ぎきることができるということにはならず、仮に、破砕片がランプユニットのケーシングの外部に飛び散ったときには、そのように飛び散った破砕片がランプユニットを収容する筐体の外部へさらに飛び出てしまうことを防ぐことについては考慮されていない。
【特許文献１】特開２００４−２３９９７５号公報
【特許文献２】特開平８−３１４０１１号公報
【特許文献３】特開２００１−２９０２１９号公報
【発明の開示】
【発明が解決しようとする課題】
【０００８】
本発明は以上の状況の下でなされたものであり、ランプユニットのリフレクタなどの破損によって生じた破砕片が、ランプユニットを収容している筐体の通風口から外部へ飛び出て周囲の人に危険を及ぼすという事態を防ぐことを目的としている。
【０００９】
また、本発明は、上掲の特許文献３に見られる可動部分を持たない構造を採用することによってその組立工程の煩雑化を回避できるにもかかわらず、破砕片が、ランプユニットを収容している筐体の通風口から外部へ飛び出て周囲の人に危険を及ぼすという事態を防ぐことを目的としている。
【課題を解決するための手段】
【００１０】
本発明に係るプロジェクタは、内外空間を連通させる第１通風口を備えた筐体に収容されているランプユニットのハウジングに、そのハウジングの内外空間を連通させる第２通風口が備わり、上記ランプユニットの構成要素であるリフレクタなどの破損によって飛び散る破砕片についての上記第２通風口から上記第１通風口に至る破砕片飛散経路に、その破砕片を衝突させる障壁部材が介在されている。そして、上記障壁部材が、間隔を隔てて対面しかつ沿面方向に位置ずれした１段目及び２段目の２枚の衝立板の組合せでなる障壁機構によって構成されていて、上記１段目衝立板に、上記第２通風口に対峙してその第２通風口から飛び出た上記破砕片を跳ね返して失速させる１段目受面が備わり、上記２段目衝立板の表面が、上記１段目受面によって跳ね返された破砕片を受け止めて失速させる２段目受面として形成されている。
【００１１】
この発明によると、ランプユニットの構成要素であるリフレクタなどの破損によって飛び散った破砕片が、障壁機構の１段目衝立板の１段目受面により跳ね返されて失速するため、その破砕片が筐体の内部に落ちて残る。あるいは、１段目衝立板の１段目受面により跳ね返されて失速した破砕片がさらに２段目衝立板の２段目受面に受け止められて失速するため、その破砕片が筐体の内部に落ちて残る。したがって、破砕片が筐体の第１通風口から外部に飛び出て周囲の人に危険が及ぶという事態が防止される。
【００１２】
本発明では、上記２段目衝立板に、上記１段目衝立板との対面方向に突き出た遮蔽片が備わっていることが望ましい。これによれば、１段目衝立板や２段目衝立板が発揮する破砕片の失速作用に加えて、２段目衝立板に具備されている遮蔽片も同様な破砕片の失速作用を発揮するので、破砕片が筐体の第１通風口から外部に飛び出て周囲の人に危険が及ぶという事態がいっそう確実に防止される。
【００１３】
本発明において、上記ランプユニットは、そのハウジングの上記第２通風口に連通する第３通風口を備えたカバー体によって覆われていると共に、そのカバー体に、上記第３通風口の孔縁部を起点として上記１段目受面に近付く方向に延び出ることによって、そのカバー体と上記２段目衝立板との間で２枚の上記衝立板の位置ずれ方向に開放している隙間空間を遮蔽する遮蔽板が設けられていることが望ましい。これによれば、ハウジングの第２通風口とカバー体の第３通風口とを通過した破砕片が、カバー体と２段目衝立板との間に形成されている隙間空間を通過して筐体の第１通風口から飛び出るという事態が、遮蔽板によって防止される。
【００１４】
本発明では、上記遮蔽板に、上記第３通風口の孔縁部を起点として上記１段目受面に近付く方向に延び出ることによって、２枚の上記衝立板の位置ずれ方向に直交する方向に開放している隙間空間を遮蔽する補助板が追加して連設されていることが望ましい。これによれば、ハウジングの第２通風口とカバー体の第３通風口とを通過した破砕片が、カバー体と２段目衝立板との間に形成されている隙間空間を通過して筐体の第１通風口から飛び出るという事態が、補助板によって防止される。
【００１５】
本発明に係るプロジェクタは、内外空間を連通させる第１通風口を備えた筐体に収容されているランプユニットのハウジングに、そのハウジングの内外空間を連通させる第２通風口が備わり、上記ランプユニットの構成要素であるリフレクタなどの破損によって飛び散る破砕片についての上記第２通風口から上記第１通風口に至る破砕片飛散経路に、その破砕片を衝突させる障壁部材が介在されているプロジェクタにおいて、上記障壁部材が、間隔を隔てて対面しかつ沿面方向に位置ずれした１段目及び２段目の２枚の衝立板の組合せでなる障壁機構によって構成されていて、上記１段目衝立板に、上記第２通風口に対峙してその第２通風口から飛び出た上記破砕片を跳ね返して失速させる１段目受面が備わり、上記２段目衝立板の表面が、上記１段目受面によって跳ね返された破砕片を受け止めて失速させる２段目受面として形成されていると共に、その２段目衝立板に、上記１段目衝立板との対面方向に突き出た遮蔽片が備わり、上記ランプユニットは、そのハウジングの上記第２通風口に連通する第３通風口を備えたカバー体によって覆われていると共に、そのカバー体に、上記第３通風口の孔縁部を起点として上記１段目受面に近付く方向に延び出ることによって、そのカバー体と上記２段目衝立板との間で２枚の上記衝立板の位置ずれ方向に開放している隙間空間を遮蔽する遮蔽板とこの遮蔽板に追加されて２枚の上記衝立板の位置ずれ方向に直交する方向に開放している隙間空間を遮蔽する補助板とを有し、２枚の上記衝立板の位置ずれ方向が、上記筐体の内部空間のうちの上記ハウジングの外部空間に相当している箇所での冷却風の向きに沿っている、という構成を採用することによっていっそう具体化される。この発明によれば、特に、１段目及び２段目の２枚の衝立板の位置ずれ方向が、上記筐体の内部空間のうちの上記ハウジングの外部空間に相当している箇所での冷却風の向きに沿っているという構成を採用しているために、それらの衝立板によって形成される障壁機構によって冷却風の流れが阻害されにくくなる。そのため、障壁機構を追加することが、冷却風による冷却作用を損なうということにはならない。
【発明の効果】
【００１６】
以上のように、本発明によれば、ランプユニットのリフレクタなどの破損によって生じた破砕片が、ランプユニットを収容している筐体の通風口から外部へ飛び出て周囲の人に危険を及ぼすという事態が防止されるために、プロジェクタの使用時のユーザにとっての安全性が向上するという効果が得られる。また、障壁機構が可動部分を備えない２枚の衝立板だけによって形成されているので、組立工程の煩雑化が回避されるという効果も得られる。
【発明を実施するための最良の形態】
【００１７】
図１は本発明の実施形態に係るプロジェクタＡを例示した概略外観図、図２はランプユニット２や障壁機構５などを示した概略分解斜視図、図３は実施形態に係る投影装置の要部の概略平面図、図４は図３の一部を示した拡大図、図５は１段目衝立板６と２段目衝立板７との位置関係を示した拡大図である。
【００１８】
図１に示したプロジェクタＡでは、後述するランプユニットなどが偏平箱形の筐体１に収容されている。そして、その筐体１にはその内外空間を連通させる第１通風口１２が備わっている。この第１通風口１２は、冒頭で説明した理由により比較的広い開口面積を有しているほか、その通風性を極端に損なわない機能を備えたメッシュやルーバによって目隠しされている。このプロジェクタＡは、床面や机上に設置した状態で使用されたり、天井から吊り下げた状態で使用される。
【００１９】
筐体１に収容されているランプユニット２は、そのハウジング２１の内部に、光源としてのバルブ（不図示）やバルブの光を反射させてその指向性を高めるリフレクタ（不図示）などを備えていて、リフレクタで反射した光がハウジング２１の前端の窓２２から出て光学的な処理が加えられる。そして、この窓２２は透明ガラス２３によって塞がれる。ランプユニット２のハウジング２１は、その前部側面と後部側面とにそれぞれ通風口を有し、前部側面の通風口は冷却風取入口２４として主に機能し、後部側面の通風口が主に冷却風出口として機能する第２通風口２５に相当していて、第２通風口２５が略矩形に形成されている。
【００２０】
ランプユニット２のハウジング２１は、筐体１の内部に配備されている図示していない光学系ケーシングにビス止めされてその光学系ケーシングと一体化される。また、ランプユニット２は、その上部と両側部とが図２や図３などに示したカバー体３によって覆われていて、そのカバー体３には、上記ハウジング２１の第２通風口２５に連通する略矩形の第３通風口３１が開設されている。さらに、カバー体３には、コ字形に連設されている遮蔽板４１とその上下両側の補助板４２とを有する枠体４が取り付けられ、その枠体４の遮蔽板４１と補助板４２とによって形成される囲み空間４３が上記第３通風口３１に連通してその第３通風口３１から突き出すようになっている。なお、カバー体３は、筐体１の内部に配備されている図示していないシャーシにビス止めされる。
【００２１】
このプロジェクタは、ランプユニット２の構成要素である上記リフレクタなどの破損によって飛び散る破砕片についての上記第２通風口２５から上記第１通風口１２に至る破砕片飛散経路に、その破砕片を衝突させる障壁部材が介在されていて、その障壁部材が、図１などに示した障壁機構５によって構成されている。この障壁機構５は、１段目及び２段目の２枚の略矩形の衝立板６，７の組合せでなり、それらの２枚の衝立板６，７は、一定の間隔を隔てて対面しかつ沿面方向（図４矢印Ｗ）に位置ずれしている。なお、２枚の衝立板６，７は板金製である。
【００２２】
さらに具体的に説明すると、第１段目衝立板６は、その下端に具備させた取付片６５を図示していない上記シャーシにビス止めすることによって上記した第２及び第３の各通風口２５，３１に垂直姿勢で対峙され、上記した枠体４の囲み空間４３にも対峙されている。また、この１段目衝立板６の表面は、上記第２及び第３の各通風口２５，３１及び上記囲み空間４３に対峙してそれらを通過して飛び出てきた上記破砕片が衝突する１段目受面６１（図４参照）として形成されている。
【００２３】
これに対し、２段目衝立板７は、その上端と下端とにそれぞれ具備させた取付片７５，７６をカバー体３にビス止めすることによって、１段目衝立板６に間隔を隔てて対面しかつ沿面方向Ｗに位置ずれした位置に垂直姿勢に保たれる。そして、２段目衝立板７の表面が、１段目衝立板６の１段目受面６１によって跳ね返された破砕片が衝突する２段目受面７１として形成されている。さらに、この２段目衝立板７の外側端部に、第１段目衝立板６との対面方向（図４矢印Ｄ）に突き出た遮蔽片７３が曲成されている。
【００２４】
以上のように構成されているプロジェクタにおいて、上記した枠体４の遮蔽板４１は、図４のように、カバー体３の略矩形の第３通風口３１の片側の孔縁部を起点として１段目衝立板６の１段目受面６１に近付く方向に延び出ることによって、そのカバー体３と２段目衝立板７との間で２枚の衝立板６，７の位置ずれ方向Ｗ１（上記沿面方向Ｗに一致している）に開放している隙間空間Ｓを遮蔽している。また、この遮蔽板４１に連設されている補助板４２は、２枚の衝立板６，７の位置ずれ方向Ｗ１に直交する方向に開放している隙間空間を遮蔽している。さらに、２枚の衝立板６，７の位置ずれ方向Ｗ１が、図３に示したように、筐体１の内部空間のうちのハウジング３の外部空間に相当している箇所での冷却風の向きＦに沿っている。このため、冷却風は２枚の衝立板６，７の相互間をそれほど抵抗を受けることなく通過するようになって冷却作用が損なわれない。
【００２５】
以上の構成を備えるプロジェクタにおいて、ランプユニット２の構成要素であるリフレクタなどの破損によって飛び散った破砕片は、その一部がランプユニット２のハウジング２１の内面に衝突してランプユニット２の内部に落ちる。また、他の一部は、ハウジング２１の第２通風口２５やカバー体３の第３通風口３１を通過してその外部に飛び散る。このうち、１段目衝立板６の１段目受面６１に衝突した破砕片は、図４矢印ａのようにその１段目受面６１により跳ね返されて失速し筐体１（図１参照）の内部に落ちる。また、１段目受面６１により跳ね返された後、筐体１の内部に落ちなかった破砕片は、図４矢印ｂのように２段目衝立板７の２段目受面７１に受け止められて失速し、筐体１の内部に落ちる。この実施形態では、１段目受面６１によって跳ね返された失速したにもかかわらず筐体１の内部に落ちながった破砕片が２段目衝立板７の２段目受面７１に跳ね返されてさらに失速するようになっているので、ほとんど全部の破砕片が筐体１の内部に落ちて残り、第１通風口１２から外部に飛び出すという事態が防止される。そして、このように筐体１に残る破砕片には、その大きさが０．８ｍｍ以上で第１通風口１２を通過し得る大きさの破砕片のほゞ全部が含まれることが判った。
【００２６】
また、この実施形態では、枠体４の遮蔽板４１が、図４のようにカバー体３と２段目衝立板７との間で２枚の衝立板６，７の位置ずれ方向Ｗ１に開放している隙間空間Ｓを遮蔽しているため、破砕片がその隙間空間Ｓを通過して筐体１の第１通風口１２から外部に飛び出るという事態が確実に阻止される。また、遮蔽板４１に連設されている上下の補助板４２が、破砕片の上方又は下方への飛び散りを阻止するために、筐体１の上壁や下壁に通風口やその他の開口が設けられている場合であっても、それらの通風口やその他の開口から筐体１の外部に飛び出るという事態も確実に阻止される。
【図面の簡単な説明】
【００２７】
【図１】本発明の実施形態に係るプロジェクタを例示した概略外観図である。
【図２】ランプユニットや障壁機構などを示した概略分解斜視図である。
【図３】実施形態に係る投影装置の要部の概略平面図である。
【図４】図３の一部を示した拡大図である。
【図５】１段目衝立板と２段目衝立板との対面方向での位置関係を示した拡大図である。
【符号の説明】
【００２８】
１  筐体
２  ランプユニット
３  カバー体
５  障壁機構
６  １段目衝立板
７  ２段目衝立板
１２  第１通風口
２１  ランプユニットのハウジング
２５  第２通風口
３１  第３通風口
４１  遮蔽板
４２  補助板
６１  １段目受面
７１  ２段目受面
７３  遮蔽片
Ｗ１  衝立板の位置ずれ方向
Ｆ  冷却風の向き
【図１】
2007279331.tif 000003
【図２】
2007279331.tif 000004
【図３】
2007279331.tif 000005
【図４】
2007279331.tif 000006
【図５】
2007279331.tif 000007